(57)【特許請求の範囲】
【請求項１】
ＣＤを自動イジェクト、自動ローディングするローディング機構を内蔵した車載用ＣＤドライブ装置にあって、
ＣＤの自動イジェクトを指令するイジェクト指令ボタンの操作回数を記憶し、
前記操作回数が１回であれば、前記ローディング機構による自動ローディングが可能な限界位置近くまでイジェクトする指令を与え、
前記操作回数が複数回であれば、前記ローディング機構による自動ローディングが可能な限界位置を超えた所定の位置までイジェクトする指令を与えることを特徴とする車載用ＣＤドライブ装置。
【請求項２】
ＣＤ収納体におけるＣＤの挿入・排出方向に沿った線上で、正規の収納位置にＣＤが収納されている状態でその周縁よりも若干内側の第１の位置と、前記第１の位置よりもさらに内側の第２の位置と、前記第１の位置から前記ＣＤの周縁に沿って所定角度だけ離れ、かつ前記正規の収納位置にＣＤが収納されている状態でその周縁よりも若干外側の第３の位置との３箇所に設置されたＣＤ検出用の光センサと、
前記ローディング機構に対して、前記イジェクト指令ボタンの１回の操作に対して、前記ＣＤ収納体に収納されているＣＤを、前記第１の位置と第２の位置の光センサが共に当該ＣＤの検出状態を維持し、かつ前記第３の位置の光センサが当該ＣＤの移動に対応して不検出→検出→不検出と変化するまでイジェクト動作させ、前記イジェクト指令ボタンの複数回の操作に対して、前記ＣＤ収納体に収納されているＣＤを、さらに一定距離だけ外側に移動させるイジェクト制御手段とを備えたことを特徴とする請求項１に記載の車載用ＣＤドライブ装置。
【発明の詳細な説明】
【０００１】
【発明の属する技術分野】
本発明は、車載用ＣＤドライブ装置に関する。
【０００２】
【従来の技術】
従来の車載用ＣＤドライブ装置では、ＣＤをＣＤ収納体のＣＤ挿入口内にある程度まで挿入すれば、ＣＤ収納体内の正規の再生位置まで自動的にローディングして保持し、またイジェクトボタンを押すと、ＣＤ収納体内の正規の再生位置に保持されているＣＤをその位置からＣＤ収納体の外にある程度までイジェクトし、そのイジェクト状態のまま一定時間経過すれば、ＣＤを再び自動的にローディングするリロード機能を備えたものがある。
【０００３】
【発明が解決しようとする課題】
このようなリロード機能を備えた車載用ＣＤドライブ装置では、ＣＤをＣＤ収納体のＣＤ挿入口にある程度まで挿入すれば装置側でそのＣＤを正規の再生位置までローディングしてくれ、またイジェクトボタンの操作でＣＤ収納体内のＣＤを自動的にリロードできる限界位置近く（リロード位置）まで排出し、イジェクト状態のまま放置されていれば、一定時間が経過すればＣＤをイジェクト位置から強制的にリロードすることによってＣＤが露出状態のまま取り忘れによって損傷を受けるのを防止する利点があるが、次のような問題点があった。
【０００４】
すなわち、ＣＤをドライバ装置からイジェクトするときには、リロード位置までしか排出しないために、当該ＣＤドライブ装置の直上方に何らかの別装置がオーバーハングした形で取り付けられていると、乗員はＣＤをＣＤ挿入口から取り出そうとして手を差込むのにその別装置が邪魔になる問題点があった。
【０００５】
本発明はこのような従来の問題点に鑑みてなされたものであり、ＣＤドライブ装置にローディングされているＣＤを実際に取り出そうとするときにドライブ装置内のＣＤをリロード位置よりもさらに外側までイジェクトすることにより、当該装置の上側に他の装置が設置されているような場合でもそれに邪魔されることなくＣＤの取出しが容易に行える車載用ＣＤドライブ装置を提供することを目的とする。
【０００６】
【課題を解決するための手段】
請求項１の発明は、ＣＤを自動イジェクト、自動ローディングするローディング機構を内蔵した車載用ＣＤドライブ装置にあって、イジェクト指令ボタンの１回のイジェクト操作で前記ローディング機構による自動ローディングが可能な限界位置近くまでイジェクトする指令を与え、複数回のイジェクト操作で前記ローディング機構による自動ローディングが可能な限界位置を超えた所定の位置までイジェクトする指令を与えるようにしたものであり、同じ１つのボタン操作を１回だけ行うか、続けて２回行うかによってＣＤのイジェクト位置を変えることができ、イジェクト操作がしやすい。
【００１０】
請求項２の発明は、請求項１の発明の車載用ＣＤドライブ装置において、さらに、ＣＤ収納体におけるＣＤの挿入・排出方向に沿った線上で、正規の収納位置にＣＤが収納されている状態でその周縁よりも若干内側の第１の位置と、前記第１の位置よりもさらに内側の第２の位置と、前記第１の位置から前記ＣＤの周縁に沿って所定角度だけ離れ、かつ前記正規の収納位置にＣＤが収納されている状態でその周縁よりも若干外側の第３の位置との３箇所に設置されたＣＤ検出用の光センサと、前記ローディング機構に対して、前記第１のイジェクト指令ボタンの操作に対して、前記ＣＤ収納体に収納されているＣＤを、前記第１の位置と第２の位置の光センサが共に当該ＣＤの検出状態を維持し、かつ前記第３の位置の光センサが当該ＣＤの移動に対応して不検出→検出→不検出と変化するまでイジェクト動作させ、前記第２のイジェクト指令ボタンの操作に対して、前記ＣＤ収納体に収納されているＣＤを、さらに一定距離だけ外側に移動させるイジェクト制御手段とを備えたものである。
【００１１】
請求項２の発明の車載用ＣＤドライブ装置では、イジェクト制御手段が第１、第２、第３の位置それぞれの光センサの検出動作状態の組合せにより、ローディング機構による自動ローディングが可能な限界位置近くまでＣＤをイジェクトしたかを判別する。したがって、第１のイジェクト指令ボタンによるイジェクト操作、第２のイジェクト指令ボタンによるイジェクト操作それぞれに対してＣＤを所定の位置まで正しくイジェクトすることができる。
【００１３】
【発明の効果】
請求項１の発明によれば、イジェクト指令ボタンのボタン操作を１回だけ行うか、続けて複数回行うかによってＣＤのイジェクト位置を変えることができ、イジェクト操作がしやすい。
【００１４】
請求項２の発明によれば、イジェクト制御手段が第１、第２、第３の位置それぞれの光センサの検出動作状態の組合せにより、ローディング機構による自動ローディングが可能な限界位置近くまでＣＤをイジェクトしたかどうかを判別するので、１回のイジェクト指令ボタンによるイジェクト操作に対してリロード位置まで正確にイジェクトし、また２回のイジェクト指令ボタンによるイジェクト操作に対してもその位置からさらに一定距離だけ外側のＣＤの取出しやすい位置まで正確にイジェクトすることができる。
【００１５】
【発明の実施の形態】
以下、本発明の実施の形態を図に基づいて詳説する。図１〜図３は車載用ＣＤドライブ装置のメカニズムを示しており、図４はその回路構成を示している。図１〜図３に示すように、ＣＤドライブ装置はＣＤ収納体１内にレーザヘッド、レーザヘッドキャリッジ、ＣＤモータ２、さらにはＣＤの自動ローディング／自動イジェクトのためのローディングローラ３、イジェクトボタン４、ＣＤを固定するためのチャックキング機構など、従来から知られているリロード機能を有するＣＤドライブ装置のメカニズムと同様の機構を内蔵している。
【００１６】
また図２及び図３に詳しく示されているように、本発明の特徴として、ＣＤの位置検出のためのセンサとして、ＣＤ収納体１内のＡ、Ｂ、Ｃの３箇所に、ＬＥＤ１１Ａ，１１Ｂ，１１Ｃとフォトトランジスタ１２Ａ，１２Ｂ，１２Ｃそれぞれの対で構成される光センサ１３Ａ，１３Ｂ，１３Ｃが設けられている。
【００１７】
光センサ１３Ａの設置されているＡ位置は、ＣＤ収納体１に対するＣＤの挿入／排出方向の中央線ＣＬ上にあって、８ｃｍサイズのＣＤ２１が正規の再生位置に存在する状態でその周縁の位置よりも若干外側の位置である。また光センサ１３Ｂの設置されているＢ位置は、同じ中央線ＣＬ上にあってＡ位置よりも外側で、かつ１２ｃｍサイズのＣＤ２２が正規の再生位置に存在する状態でその周縁の位置よりも若干内側となる位置である。そして、光センサ１３Ｃの設置されているＣ位置はＢ位置から円周方向に離れた位置で、かつ１２ｃｍサイズのＣＤ２２が正規の再生位置に存在する状態でその周縁の位置よりも若干外側となる位置である。
【００１８】
図１及び図３に示すように、ローディング機構を構成するローディングローラ３は、１２ｃｍサイズのＣＤ２２がＣＤ収納体１のディスク挿入口（図示せず）にリロード位置Ｐ１まで挿入された状態ではそのＣＤ２２をくわえ込んでローディングすることができるが、フルイジェクト位置Ｐ２までしかＣＤが挿入されていない状態では自動ローディングができない位置設定になっている。
【００１９】
そして、ＣＤ２２の位置と光センサ１３Ａ，１３Ｂ，１３Ｃのセンシング状態とは、図５の表に示す関係が成立する設定にしてある。すなわち、１２ｃｍサイズのＣＤ２２に対して、それが挿入されていない状態では、光センサ１３Ａ，１３Ｂ，１３ＣのすべてがＯＦＦ（ディスクなし、以下、同じ）であり、ローディング中であれば、光センサ１３Ａ，１３Ｂは共にＯＦＦ→ＯＮ（ディスクあり、以下、同じ）に変化し、光センサ１３ＣはＯＦＦ→ＯＮに変化し、さらにＯＦＦに変化する。そしてＣＤ２２が正規の再生位置に収納されれば、光センサ１３Ａ，１３Ｂは共にＯＮ、光センサ１３ＣはＯＦＦである。
【００２０】
逆にリロード位置Ｐ１までのイジェクト時には、光センサ１３Ａ，１３Ｂは共にＯＮを維持したままであり、光センサ１３ＣはＯＦＦ→ＯＮに変化し、さらにＯＦＦに変化する。そしてＣＤ２２がフルイジェクト位置Ｐ２になれば、光センサ１３Ａは依然ＯＮのままであり、光センサ１３ＢはＯＦＦとなり、光センサ１３ＣもＯＦＦである。
【００２１】
次に、図４に基づいてこの実施の形態の回路構成を説明する。車載用ＣＤドライブ装置は、ＣＤをドライブするドライブユニット部３１、メイン回路部３２、ＣＤのローディングとチャッキングを行うメカニズム部３３及びディスクセンサ部３４から構成されている。
【００２２】
ドライブユニット部３１は、ＣＤに対してレーザビームを当てるレーザヘッド部３５、ＣＤからのレーザ反射光を受光してＲＦ信号に変換する４分割フォトダイオード３６、この４分割フォトダイオード３６からのＲＦ信号に対する差分、加算処理と増幅処理を行うＲＦ増幅部（ＲＦ−ＡＭＰ）３７から構成されている。
【００２３】
メイン回路３２は、ＲＦ信号の再生処理とレーザヘッド部３５のフォーカス、トラッキング、スレッド、スピンドルに対するサーボを行い、またリミットスイッチ（ＳＷ）を動作させる信号処理・サーボ用ＩＣ３８、Ｄ／Ａ変換部（ＤＡＣ）３９、オーディオ信号だけを通過させるローパスフィルタ４０、電源部４１、そして本装置の全体を統括的に制御するＣＰＵ４２から構成されている。
【００２４】
メカニズム部３３はローディングローラを正逆駆動するローディングモータ４３と、チャッキング機構（図示せず）を作動させるためのチャッキングスイッチ（ＳＷ）４４から構成されている。
【００２５】
ディスクセンサ部３４は上述した光センサ１３Ａ〜１３Ｃそれぞれを構成するＬＥＤ１１Ａ〜１１Ｃとフォトダイオード１２Ａ〜１２Ｃから構成されている。
【００２６】
次に、上記構成の車載用ＣＤドライブ装置の動作を説明する。まず図４に基づき、ＣＤドライブ装置によるＣＤの音声再生動作について説明する。ＣＤ収納体１の正規の再生位置にＣＤがローディングモータ４３の駆動によって位置決めされると、チャッキングスイッチ４４が動作してＣＤをチャッキング機構によって回転中にふらつかないように固定し、この状態でドライブモータ（図示せず）によってＣＤを回転させる。
【００２７】
そしてレーザヘッド部３５によってＣＤの記録面にレーザビームを当て、その反射光を４分割フォトダイオード３６によって受光し、ＲＦ信号にして取出し、これをＲＦ信号増幅部３７で差分、加算処理を施し、かつ増幅処理を行い、それぞれの信号をメイン回路部３２に取り出す。
【００２８】
メイン回路部３２の信号処理・サーボ用ＩＣ３８はオーディオ用のＥＦＭ信号に対しては復調処理を行い、Ｄ／Ａ変換部３９でＤ／Ａ変換した後、ローパスフィルタ４０に通してオーディオ信号だけを取出し、後段のオーディオ信号増幅回路（図示せず）に出力する。
【００２９】
これと並行して、信号処理・サーボ用ＩＣ３８は４分割フォトダイオード３６からの信号に基づいてトラッキングエラー、フォーカスエラーを検出し、フォーカス、トラッキング、スレッド、スピンドルのサーボを行う。
【００３０】
次に、ディスクセンサ部３４の動作を、詳しく説明する。ＣＤ収納体１が空の状態であれば、図５の表に示したように光センサ１３Ａ〜１３ＣはすべてＯＦＦであり、これによってＣＰＵ４２はＣＤ２２が挿入されていない状態であると判断する。
【００３１】
ＣＤ２２がＣＤ収納体１にＣＤ挿入口（図示せず）から挿入され、その先端部分がローディングローラ３の位置まで来れば、図５の表に示したように光センサ１３Ａ，１３Ｂが共にＯＦＦ→ＯＮに変わるので、ＣＰＵ４２はこの信号の変化を見てローディングモータ４３を駆動させ、ローディングローラ３によってＣＤを正規の再生位置まで自動ローディングする。このローディング完了は、光センサ１３ＣがＯＦＦ→ＯＮからさらにＯＦＦに変わったことによって判断する。そしてチャッキングスイッチ４４を動作させてＣＤを正規の位置でチャッキングする。
【００３２】
これによって自動ローディングが完了し、ＣＰＵ４２はＣＤの再生動作を開始させる。
【００３３】
次に、ＣＤのイジェクト動作について説明する。図１〜図３に示したように、ＣＤ収納体１の前面に設けられているイジェクトボタン４を１回だけプッシュ又はタッチ操作すると、その操作信号は図４に示した回路図のＣＰＵ４２に入力され、ＣＰＵ４２はこれをリロード位置Ｐ１までのイジェクト指令と判断し、チャッキングスイッチ４４をＯＦＦとし、ローディングモータ４３を逆転駆動させてＣＤ２２を排出させる。そしてその停止位置をリロード位置Ｐ１までとするために、図５の表に示したように、ディスク収納状態からリロード位置までのイジェクトとして、光センサ１３Ａ，１３Ｂは共にＯＮ状態を維持し、光センサ１３ＣだけがＯＦＦ状態からＯＮ状態に変わり、さらにＯＦＦ状態に変わったタイミングでローディングモータ４３を停止させる。これによって、図１及び図２においてＰ１で示すリロード位置までＣＤ２２を排出することができる。
【００３４】
このリロード位置Ｐ１までＣＤ２２を排出させた状態でも他の装置が邪魔になってＣＤ２２をうまく取り出すことができないような場合、イジェクトボタン４をもう１回プッシュ又はタッチ操作する。これによって、ＣＰＵ４２は２回目のイジェクト指令と判断し、ローディングモータ４３をさらに逆転駆動させ、ＣＤ２２をリロード位置Ｐ１から一定距離ΔＤだけ外側のフルイジェクト位置Ｐ２まで押出す。このフルイジェクト位置Ｐ２までの移動距離ΔＤは、ローディングモータ４３の逆転回転時間をこの移動距離ΔＤだけ移動できる時間Δｔに制限することによって実現している。これによって、ＣＤ２２はリロード位置Ｐ１よりもさらに外側の所定の位置Ｐ２までイジェクトすることができ、使用者は容易にＣＤ２２をＣＤ収納体１から取り出すことができるようになる。
【００３５】
なお、上記の実施の形態では、イジェクトボタン４が１回目に押された場合にはリロード位置Ｐ１までＣＤ２２をイジェクトし、その位置でさらにイジェクトボタン４がもう１回押されると、ＣＤ２２をさらに外側に一定距離ΔＤだけ押し出す制御を行っているが、イジェクト制御はこれに限定されるものではなく、イジェクトボタン４が最初に１回だけ押されたか２回以上押されたかによってイジェクト位置を最初からＰ１にするか、Ｐ２にするかを決定し、イジェクト動作することもできる。その場合のＣＰＵ４２によるイジェクト制御動作は、図６に示すフローチャートのようになる。まず、イジェクトボタン４が押された回数を受け付け、その押し回数ｎを確認する（ステップＳ１）。そして、イジェクト動作を開始し、光センサ１３ＣがいったんＯＮした後にＯＦＦ状態になればリロード可能位置Ｐ１までイジェクトしたと判断し、ここでイジェクトボタン４の押し回数を確認する（ステップＳ２〜Ｓ４）。
【００３６】
このイジェクトボタン４の操作回数ｎ＝１であれば、リロード可能位置Ｐ１までのイジェクト指令と判断してイジェクト動作制御を中止する（ステップＳ４でＹＥＳに分岐）。しかしながら、イジェクトボタン４の操作回数ｎが２以上であれば、フルイジェクト指令と判断して、次のステップＳ５によってローディングモータ４３をさらに一定時間Δｔだけ継続して逆回転させ、ＣＤ２２を一定距離ΔＤだけさらに外側のフルイジェクト位置Ｐ２まで移動させる。
【００３７】
これにより、第２の実施の形態では１つのイジェクトボタンによりＣＤのイジェクト位置を最初から指定してイジェクト操作することができ、イジェクト操作がしやすくなる。
【図面の簡単な説明】
【図１】本発明の１つの実施の形態のメカニズムの平面図。
【図２】上記の実施の形態における光センサの配置を示す平面図。
【図３】上記の実施の形態における光センサの配置を示す断面図。
【図４】上記の実施の形態の回路構成を示すブロック図。
【図５】上記の実施の形態におけるＣＤの位置−光センサの検出状態の対応を示す表。
【図６】本発明の第２の実施の形態によるＣＤのイジェクト制御を示すフローチャート。
【符号の説明】
１  ＣＤ収納体
２  ＣＤモータ
３  ローディングローラ
４  イジェクトボタン
１１Ａ，１１Ｂ，１１Ｃ  ＬＥＤ
１２Ａ，１２Ｂ，１２Ｃ  フォトダイオード
１３Ａ，１３Ｂ，１３Ｃ  光センサ
２１  ８ｃｍサイズＣＤ
２２  １２ｃｍサイズＣＤ
３１  ドライブユニット部
３２  メイン回路部
３３  メカニズム部
３４  ディスクセンサ部
４２  ＣＰＵ
４３  ローディングモータ
【図１】
0003736124.tif 000002
【図２】
0003736124.tif 000003
【図３】
0003736124.tif 000004
【図４】
0003736124.tif 000005
【図５】
0003736124.tif 000006
【図６】
0003736124.tif 000007